(57)【要約】【課題】  効率的に高さ調整が可能であると共に、菌類、白蟻等の害虫駆除も可能である床下支持部材を提供する。【解決手段】  建築物の床下材と床下面との間に設置され、床下材を支持、補強する床下支持部材１において、雌ネジ部を形成した胴部２と、床下材又は床下面に当接する台座部３１を有し、胴部２の雌ネジ部と螺合する雄ネジ部を形成した軸部３２を有する支持部３Ａ，３Ｂと、から成る支持部材本体１１を設ける。薬剤を挿入する陥没部４３を形成し、複数の切欠部４２を形成した収納体本体４と、収納体本体４を被覆する蓋体５と、から成る薬剤収納体１２を設ける。支持部材本体１１の台座部３１に薬剤収納体１２の収納体本体４を装着自在とする。【選択図】              図１
2005220584.tif 000002
【特許請求の範囲】
【請求項１】
建築物の床下材と床下面との間に設置され、床下材を支持、補強する床下支持部材において、
雌ネジ部を形成した胴部と、床下材又は床下面に当接する台座部を有し、前記胴部の雌ネジ部と螺合する雄ネジ部を形成した軸部を有する支持部と、から成る支持部材本体と、
薬剤を挿入する陥没部を形成し、複数の切欠部を形成した収納体本体と、前記収納体本体を被覆する蓋体と、から成る薬剤収納体と、
から構成され、前記支持部材本体の台座部に前記薬剤収納体の収納体本体を装着自在としたことを特徴とする床下支持部材。
【請求項２】
前記前記支持部材本体の台座部に嵌合溝部を形成し、前記薬剤収納体の収納体本体に嵌合突部を突設し、前記嵌合溝部に前記嵌合突部を嵌合させることによって、前記支持部材本体の台座部に前記薬剤収納体の収納体本体を装着自在としたことを特徴とする請求項１に記載の床下支持部材。
【発明の詳細な説明】
【技術分野】
【０００１】
本発明は、床下支持部材に関し、さらに詳しくは、効率的に高さ調整が可能であると共に、菌類、白蟻等の害虫駆除も可能である床下支持部材に関する。
【背景技術】
【０００２】
従来、床下支持部材としては、特許文献１に記載されるものが知られている。床下支持部材は、建築物の床下材と床下面との間に設置されるときに、その高さ調整を行う必要があるが、この床下支持部材では、高さ調整機構を構成するナットをスパナによって回転させて、その高さ調整を行っていた。
【０００３】
【特許文献１】特開２００２−３０３０３４号公報
【発明の開示】
【発明が解決しようとする課題】
【０００４】
しかしながら、床下は狭い上に暗いので、作業員は手探りで床下支持部材の高さ調整を行う場合もあり、又、スパナを使用してナットを回転させるのは面倒であり、従来の床下支持部材では、その高さ調整を効率的に行うことができなかった。
【０００５】
又、従来の床下支持部材は、床下材を支持、補強する機能を有するだけで、湿度の高い床下に発生し易い菌類、白蟻等の害虫を駆除するというような他の機能を有するものは存在しなかった。
【０００６】
本発明は、かかる従来の問題点に鑑みて為されたものであって、効率的に高さ調整が可能であると共に、菌類、白蟻等の害虫駆除も可能である床下支持部材を提供することを目的とする。
【課題を解決するための手段】
【０００７】
上記目的を達成するため、本発明の床下支持部材は、建築物の床下材と床下面との間に設置され、床下材を支持、補強する床下支持部材において、雌ネジ部を形成した胴部と、床下材又は床下面に当接する台座部を有し、前記胴部の雌ネジ部と螺合する雄ネジ部を形成した軸部を有する支持部と、から成る支持部材本体と、薬剤を挿入する陥没部を形成し、複数の切欠部を形成した収納体本体と、前記収納体本体を被覆する蓋体と、から成る薬剤収納体と、から構成され、前記支持部材本体の台座部に前記薬剤収納体の収納体本体を装着自在としたことを特徴とする。
【０００８】
かかる構成によれば、胴部を回転させると、胴部と螺合している支持部が胴部に対して進退して、床下支持部材が伸縮することになるから、容易かつ効率的に床下支持部材の高さ調整をすることができる。
【０００９】
又、かかる構成によれば、収納体本体に形成した複数の切欠部から気化した薬剤が流出するようになっているから、湿度の高い床下に薬剤を供給することができ、菌類、白蟻等の害虫を効果的に駆除することができる。
【００１０】
前記支持部材本体の台座部に嵌合溝部を形成し、前記薬剤収納体の収納体本体に嵌合突部を突設し、前記嵌合溝部に前記嵌合突部を嵌合させることによって、前記支持部材本体の台座部に前記薬剤収納体の収納体本体を装着自在としてもよい。
【００１１】
かかる構成によれば、薬剤収納体の収納体本体を支持部材本体の台座部に容易に装着又は離脱することができ、薬剤の補充、交換等の作業が極めて容易である。
【発明を実施するための最良の形態】
【００１２】
以下、本発明の床下支持部材の好適な実施形態について、図面を参照しつつ詳細に説明する。
【実施例１】
【００１３】
図１は、本発明の床下支持部材の（Ａ）は平面図、（Ｂ）は正面図であり、図２は、本発明の床下支持部材の支持部材本体の（Ａ）は平面図、（Ｂ）は正面図、（Ｃ）は右側面図であり、図３は、支持部材本体の縦断面図であり、図４は、支持部材本体を伸長させた状態を示す正面図であり、図５は、支持部材本体の使用状態を示す正面図であり、図６は、本発明の床下支持部材の薬剤収納体の本体の（Ａ）は平面図、（Ｂ）は正面図、（Ｃ）は底面図であり、図７は、薬剤収納体の本体の縦断面図であり、図８は、薬剤収納体の蓋体の（Ａ）は平面図、（Ｂ）は正面図である。
【００１４】
本発明の床下支持部材１０は、図１に示すように、支持部材本体１１と薬剤収納体１２とから構成され、建築物の床下材Ａと床下面Ｂとの間に設置され、これらの間において支持棒のように突っ張って建築物の床下構造を補強する。
【００１５】
支持部材本体１１は、図２に示すように、胴部２、第１支持部３Ａ及び第２支持部３Ｂとから構成され、胴部２を回転させることによって、第１支持部３Ａ及び第２支持部３Ｂが同時に進退変位するので、支持部材本体１１の高さ調整が容易かつ迅速に行える点に特徴を有する。
【００１６】
胴部２は、略円筒形状を呈し、図３に示すように、その内周面に雌ネジ部を形成してある。又、胴部２は、その中腹部２１が肉厚に膨らんで形成され、作業時において作業員が握り易い形状となっている。又、胴部２の中腹部２１には、その外周面の長手方向に複数のリブ２２が形成されており、これらのリブ２２は、胴部２の構造上の強度を高めると共に、作業員が中腹部２１を握った際の滑り止めとして機能する。
【００１７】
第１支持部３Ａ及び第２支持部３Ｂは、台座部３１及び軸部３２から成る。
台座部３１は、略フランジ形状を呈し、その底面（見かけ上のフランジ面）は、床下材Ａ又は床下面Ｂに対する接触面となっている。又、台座部３１は、その外周面に裾状にリブ３３が形成され、その構造上の強度が補強されている。
軸部３２は、その外周面上に雄ネジ部を形成してあり、台座部３１から延出して設けられている。
【００１８】
第１支持部３Ａ及び第２支持部３Ｂは、各々の軸部３２を胴部２内に挿入し、その雄ネジ部を胴部２の雌ネジ部と螺合するようにしてある。又、第１支持部３Ａ及び第２支持部３Ｂは、支持部材本体１１が胴部２を中心として対称となるように、胴部２の両側に各々装着される。
【００１９】
支持部材本体１１では、第１支持部３Ａ及び第２支持部３Ｂが回転しないように拘束された状態で、胴部２を回転させると、胴部２の雌ネジ部と第１支持部３Ａ及び第２支持部３Ｂの雄ネジ部との螺合によって、第１支持部３Ａ及び第２支持部３Ｂは、互いに胴部２から突出するように移動する。これによって、図４に示すように、支持部材本体１１は伸長する。
【００２０】
作業時においては、支持部材本体１１は床下材Ａと床下面Ｂとの間にその高さ方向を立てて挿入され、一方の台座部３１の底面を床下材Ａに当接すると共に、他方の台座部３１の底面を床下面Ｂに当接して設置される。この時、第１支持部３Ａ及び第２支持部３Ｂは、これらの台座部３１，３１と床下材Ａ及び床下面Ｂとが面接触することによって、回転しないように拘束される。
【００２１】
次に、作業員が手で胴部２を把持して回転させると、支持部材本体１１は伸長して、台座部３１、３１の底面が床下材Ａ及び床下面Ｂに圧力を付勢する。これによって、図４に示すように、支持部材本体１１が床下材Ａと床下面Ｂとの間に一本の突っかえ棒として挟み込まれ、建築物の床下構造が補強される。
【００２２】
支持部材本体１１によれば、胴部２を回転させることにより容易かつ迅速に支持部材本体１１を伸縮できるので、支持部材本体１１の高さ調整を効率的に為し得るという利点がある。
【００２３】
又、支持部材本体１１は、胴部２を中心として高さ方向に対称に構成されているので、その上下を意識する必要がない。従って、暗く作業性の悪い床下においても、効率的に支持部材本体１１の設置作業を進め得るという利点がある。
【００２４】
又、支持部材本体１１では、第１支持部３Ａ及び第２支持部３Ｂが単一の胴部２の両側に装着されているので、胴部２を回転させると、螺子部の螺合によって、第１支持部３Ａ及び第２支持部３Ｂが同時に移動される。従って、単純な操作によって、支持部材本体１１を迅速に伸縮することができる。
【００２５】
支持部材本体１１では、胴部２の両端部付近に、胴部２と第１支持部３Ａ及び第２支持部３Ｂとの位置関係を固定する固定手段２３が設けられている。固定手段２３は、第１支持部３Ａ及び第２支持部３Ｂに対してそれぞれ設けられ、その締め付け力によって、胴部２に対する第１支持部３Ａ及び第２支持部３Ｂの自由回転を拘束する。これによって、振動等により胴部２が回転して支持部材本体１１が勝手に伸縮し、床下材Ａに対する支持が緩む事態が抑制される。
尚、この実施例では、固定手段２３を蝶螺子２３としてあり、何等特別な工具を使用することなく、作業員の手指によって容易に締め付けが可能である。
【００２６】
又、支持部材本体１１では、胴部２の中腹部に軸と垂直方向に貫通する貫通孔２４を穿設してある。支持部材本体１１の設置時には、この貫通孔２４に棒状部材（図示を省略する）を挿通させて回転させることによって、梃子の原理によりあまり労力を要することなく胴部２を回転させることができ、支持部材本体１１の高さ調整を容易に為し得るという利点がある。
【００２７】
又、支持部材本体１１では、第１支持部３Ａ及び第２支持部３Ｂ内に弾性部材３４が設けられている。弾性部材３４は、台座部３１内に設けられ、軸部３２をその軸方向に常時付勢している。
かかる構成によれば、地震等により強い振動が発生した時においても、弾性部材３４がその振動を十分に吸収する。かかる免震構造によって、支持部材本体１１は、地震等の強い振動が発生した際にも、倒れることなく床下材Ａを確実に支持することができる。
【００２８】
薬剤収納体１２は、図６乃至図８に示すように、収納体本体４及び収納体蓋体５とから構成されている。
【００２９】
収納体本体４は、図６及び図７に示すように、その外径を前記支持部材本体１１の台座部３１の外径と略同一としてある。収納体本体４の底面部には嵌合突部４１を突設してあり、この嵌合突部４１が台座部３１の嵌合溝部３５と嵌合するようになっている。
【００３０】
収納体本体４の上面部には複数の切欠部４２を形成してあり、この切欠部４２から気化した薬剤が流出するようになっている。又、収納体本体４の中央部は陥没部４３としてあり、この陥没部４３に固体状、粉体状、液体状等の薬剤を挿入するようになっている。
【００３１】
収納体蓋体５は、図８に示すように、円形状を呈し、その外径を収納体本体４の陥没部４３の開口部の内径と略同一としてあり、外周部に複数の突出片５１を形成してある。
そして、収納体本体４の陥没部４３に収納体蓋体５を載置し、突出片５１を収納体本体４の切欠部４２に嵌入させれば、収納体蓋体５の上面を収納体本体４の上面と略面一に被覆できるようになっている。
【００３２】
薬剤収納体１２においては、収納体本体４に収納体蓋体５を被覆した時においても、収納体本体４に形成した複数の切欠部４２から気化した薬剤が流出するようになっているから、湿度の高い床下に薬剤を供給することができ、菌類、白蟻等の害虫を効果的に駆除することができる。
【００３３】
又、薬剤収納体１２は、収納体本体４の嵌合突部４１を支持部材本体１１の台座部３１の嵌合溝部３５に嵌合させることによって、支持部材本体１１に容易に装着することができ、又、収納体本体４の外径を支持部材本体１１の台座部３１の外径と略同一としてあるから、上記と同様の操作によって、床下支持部材１０の高さ調整を行うことができる。
【００３４】
さらに、収納体本体４に挿入した薬剤が気化して消失したならば、支持部材本体１１の台座部３１から離脱させ、収納体蓋体５を離脱させれば、収納体本体４の陥没部４３に薬剤を挿入することができ、薬剤の補充、交換等の作業が極めて容易である。
【図面の簡単な説明】
【００３５】
【図１】本発明の床下支持部材の（Ａ）は平面図、（Ｂ）は正面図である。
【図２】支持部材本体の（Ａ）は平面図、（Ｂ）は正面図、（Ｃ）は右側面図である。
【図３】支持部材本体の縦断面図である。
【図４】支持部材本体を伸長させた状態を示す正面図である。
【図５】支持部材本体の使用状態を示す正面図である。
【図６】薬剤収納体の本体の（Ａ）は平面図、（Ｂ）は正面図、（Ｃ）は底面図である。
【図７】薬剤収納体の本体の縦断面図である。
【図８】薬剤収納体の蓋体の（Ａ）は平面図、（Ｂ）は正面図である。
【符号の説明】
【００３６】
１    床下支持部材
１１  支持部材本体
１２  薬剤収納体
２    胴部
３Ａ  第１支持部
３Ｂ  第２支持部
３１  台座部
３５  嵌合溝部
４    収納体本体
４１  嵌合突部
４２  切欠部
４３  陥没部
５    収納体蓋体
【図１】
2005220584.tif 000003
【図２】
2005220584.tif 000004
【図３】
2005220584.tif 000005
【図４】
2005220584.tif 000006
【図５】
2005220584.tif 000007
【図６】
2005220584.tif 000008
【図７】
2005220584.tif 000009
【図８】
2005220584.tif 000010